(57)【要約】【課題】立体的な形状によりインパクトのある発光演出を行ない得る遊技機を提供する。【解決手段】前枠１５の第２側枠部３８の前側に、前方に膨出する第３装飾カバー４５が取り付けられる。第２側枠部３８の裏側に、前面に複数の第３発光体４２ｂを実装した第３発光基板４２ａが配設される。第２側枠部３８に、各第３発光体４２ｂと対応して第３通孔３８ａが開設され、第３発光体４２ｂからの光は第３通孔３８ａを通って前方へ照射される。第３装飾カバー４５の内部に第２光拡散部材６４が収容される。第２光拡散部材６４は、第３装飾カバー４５の内壁部材５９および外壁部材６１と夫々対応する光拡散内壁部６５および光拡散外壁部６６を備える。光拡散内壁部６５および光拡散外壁部６６に、第３発光体４２ｂから照射された光を拡散する複数の光拡散部６５ｃ,６６ａが並列に設けられる。【選択図】図２０
2014061026.tif 000002
【特許請求の範囲】
【請求項１】
遊技盤を保持する本体枠の前側に、窓口を介して前側から視認可能に遊技盤を覆う装飾枠を備え、該装飾枠における窓口の外周を発光させるよう構成された遊技機において、
前記装飾枠は、
前記窓口が開設された基枠と、
前記基枠における窓口の外周に配設され、前方に膨出するよう形成されて基枠の前側に収容空間を画成する透光性の装飾カバーとを備え、
前記装飾カバーの前記収容空間に、前記装飾カバーにおける窓口側の壁部および窓口から離間する側の壁部の夫々に対応して内側に延在する一対の壁部を備えた光拡散部材が収容され、
前記基枠における窓口の外周に配設された発光基板に、前記光拡散部材の両壁部に向けて光を照射する複数の発光体が実装され、
前記光拡散部材の両壁部の夫々に、前記発光体からの光を拡散する複数の拡散部を並列に設けた
ことを特徴とする遊技機。
【請求項２】
前記装飾カバーは、前記基枠における窓口の側方に臨む側縁部に配設されると共に、該装飾カバーにおける窓口から離間する側の壁部である外側壁部に、非透光性部を設けることで透光性部が形成され、
前記光拡散部材における外側壁部に沿って延在する壁部と外側壁部との間に、前記透光性部を覆う光拡散シートが位置する請求項１記載の遊技機。
【請求項３】
前記基枠における窓口の左右両側に臨む側縁部に前記装飾カバーが夫々配設され、
両装飾カバーの前方への突出寸法を異なるよう構成した請求項１または２記載の遊技機。
【請求項４】
前記基枠における窓口の上方に臨む上縁部に、左右の装飾カバーに接続する透光性の上部装飾カバーが配設されると共に、基枠の上縁部に上部照明装置が配設されて、該上部照明装置の発光体によって上部装飾カバーを内側から照明するよう構成され、
前記上部装飾カバーは、基枠からの突出寸法が、突出寸法が小さい装飾カバー側から大きい装飾カバー側に向かうにつれて大きくなるように変化するよう構成した請求項３記載の遊技機。
【請求項５】
前記装飾枠は、前記本体枠に対して一側部側がヒンジ手段を介して回動自在に支持され、前記基枠におけるヒンジ手段が配設される一側部側とは反対側に突出寸法が大きい装飾カバーが配設される請求項３または４記載の遊技機。
【発明の詳細な説明】
【技術分野】
【０００１】
本発明は、照明装置を備えた遊技機に関するものである。
【背景技術】
【０００２】
代表的な遊技機であるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。またパチンコ機では、前記遊技盤の盤面に画成した遊技領域の略中央位置に枠状の装飾部材(所謂センター役物)が配設されて、該装飾部材の開口から液晶式やドラム式等の図柄表示装置を臨ませ、この図柄表示装置で図柄変動に伴うリーチ演出等の各種の遊技演出を行なうよう構成されている。
【０００３】
前記パチンコ機では、前枠に形成された遊技盤が臨む窓口の周縁部に、光透過性の化粧板が配設されると共に、該化粧板の後側にＬＥＤ等の発光体を備えた照明装置が配設されており、図柄表示装置で行なわれる遊技演出に合わせて照明装置を点灯したり点滅することで、遊技の臨場感や興趣を高めるようにしている(例えば、特許文献１参照)。
【先行技術文献】
【特許文献】
【０００４】
【特許文献１】特開２０００−５３８４号公報
【発明の概要】
【発明が解決しようとする課題】
【０００５】
特許文献１に開示のパチンコ機では、前枠の前側に配設される化粧板が平面的であるため、立体的な発光演出を行なうことができず、発光演出による充分な興趣の向上は望めなかった。そこで、化粧板を前方に膨出する立体形状とすることで、インパクトのある発光演出を行ない得るようにすることが考えられる。しかしながら、化粧板を立体形状にすると、前枠の縁部前面に配設される発光体と、化粧板における発光体の光照射方向と交差する内面との離間距離が部位によって異なることとなり、化粧板の全体を均一に照明することができなくなって装飾効果が低下してしまう。また、照明装置の発光体を化粧板の内面に対向する構成では、点光となって見栄えが低下する問題を招く。
【０００６】
すなわち本発明は、従来の技術に内在する前記問題に鑑み、これらを好適に解決するべく提案されたものであって、立体的な形状によりインパクトのある発光演出を行ない得る遊技機を提供することを目的とする。
【０００７】
前記課題を克服し、所期の目的を達成するため、本願の請求項１に係る発明は、
遊技盤(12)を保持する本体枠(13)の前側に、窓口(15a)を介して前側から視認可能に遊技盤(12)を覆う装飾枠(15)を備え、該装飾枠(15)における窓口(15a)の外周を発光させるよう構成された遊技機において、
前記装飾枠(15)は、
前記窓口(15a)が開設された基枠(33)と、
前記基枠(33)における窓口(15a)の外周に配設され、前方に膨出するよう形成されて基枠(33)の前側に収容空間(S)を画成する透光性の装飾カバー(45)とを備え、
前記装飾カバー(45)の前記収容空間(S)に、前記装飾カバー(45)における窓口(15a)側の壁部(59)および窓口(15a)から離間する側の壁部(61)の夫々に対応して内側に延在する一対の壁部(65,66)を備えた光拡散部材(64)が収容され、
前記基枠(33)における窓口(15a)の外周に配設された発光基板(42a)に、前記光拡散部材(64)の両壁部(65,66)に向けて光を照射する複数の発光体(42b)が実装され、
前記光拡散部材(64)の両壁部(65,66)の夫々に、前記発光体(42b)からの光を拡散する複数の拡散部(65c,66a)を並列に設けたことをことを要旨とする。
【０００８】
請求項１に係る発明によれば、光拡散部材に後方から照射される光を並列に設けた複数の拡散部で拡散することで、立体的な形状の装飾カバーの全体を略均一に照明することができる。すなわち、見栄えを低下させることなく立体的な形状の装飾カバーの全体を略均一に照明することができ、インパクトのある発光演出を行ない得る。
【０００９】
請求項２に記載の発明では、前記装飾カバー(45)は、前記基枠(33)における窓口(15a)の側方に臨む側縁部(38)に配設されると共に、該装飾カバー(45)における窓口(15a)から離間する側の壁部である外側壁部(61)に、非透光性部(61a)を設けることで透光性部(61b)が形成され、
前記光拡散部材(64)における外側壁部(61)に沿って延在する壁部(66)と外側壁部(61)との間に、前記透光性部(61b)を覆う光拡散シート(67)が位置することを要旨とする。
請求項２に係る発明によれば、遊技機の前方に膨出する装飾カバーを照明することで、透光性部を発光表示することができ、遊技を行なう遊技機を探している客の注目を惹いて集客力を向上し得る。
【００１０】
請求項３に記載の発明では、前記基枠(33)における窓口(15a)の左右両側に臨む側縁部(37,38)に前記装飾カバー(43,45)が夫々配設され、
両装飾カバー(43,45)の前方への突出寸法を異なるよう構成したことを要旨とする。
請求項３に係る発明によれば、左右の装飾カバーの突出高さを異ならせることで、インパクトのあるデザインにより他機種との差別化を図ることができる。
【００１１】
請求項４に記載の発明では、前記基枠(33)における窓口(15a)の上方に臨む上縁部(35)に、左右の装飾カバー(43,45)に接続する透光性の上部装飾カバー(44)が配設されると共に、基枠(33)の上縁部(35)に上部照明装置(41)が配設されて、該上部照明装置(41)の発光体(41b)によって上部装飾カバー(44)を内側から照明するよう構成され、
前記上部装飾カバー(44)は、基枠(33)からの突出寸法が、突出寸法が小さい装飾カバー(43)側から大きい装飾カバー(45)側に向かうにつれて大きくなるように変化するよう構成したことを要旨とする。
請求項４に係る発明によれば、窓口を囲む左右両側および上部のデザイン性を向上して他機種との差別化を図ることができる。
【００１２】
請求項５に記載の発明では、前記装飾枠(15)は、前記本体枠(13)に対して一側部側がヒンジ手段(39)を介して回動自在に支持され、前記基枠(33)におけるヒンジ手段(39)が配設される一側部側とは反対側に突出寸法が大きい装飾カバー(45)が配設されることを要旨とする。
請求項５に係る発明によれば、インパクトのあるデザインを採用しても、本体枠に対して装飾枠を大きく開放することができ、良好なメンテナンス性を維持し得る。
【発明の効果】
【００１３】
本発明に係る遊技機によれば、見栄えを低下させることなくインパクトのある発光演出を行ない得る。
【図面の簡単な説明】
【００１４】
【図１】本発明の実施例に係るパチンコ機を前側から見た概略斜視図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る前枠を示す正面図である。
【図４】実施例に係る遊技盤を示す概略正面図である。
【図５】実施例に係る前枠から３つの装飾カバーを分解して前側から見た概略斜視図である。
【図６】実施例に係る前枠から３つの装飾カバーを分解して後側から見た概略斜視図である。
【図７】実施例に係る第１装飾カバーを分解して前側から見た概略斜視図である。
【図８】実施例に係る第１装飾カバーを分解して後側から見た概略斜視図である。
【図９】図３のＡ−Ａ線で示す要部断面図である。
【図１０】図３のＢ−Ｂ線に対応する前枠の前第１側枠部側の断面図である。
【図１１】実施例に係る第２装飾カバーを分解して前側から見た概略斜視図である。
【図１２】実施例に係る第２装飾カバーを分解して後側から見た概略斜視図である。
【図１３】図３のＣ−Ｃ線断面図である。
【図１４】図３のＤ−Ｄ線に対応する前枠の上枠部側の断面図である。
【図１５】実施例に係る第３装飾カバーを分解して前側から見た概略斜視図である。
【図１６】実施例に係る第３装飾カバーを分解して後側から見た概略斜視図である。
【図１７】図３のＥ−Ｅ線で示す要部断面図である。
【図１８】図３のＦ−Ｆ線で示す要部断面図である。
【図１９】実施例に係る第３装飾カバーを縦断して示す要部正面図である。
【図２０】図３のＢ−Ｂ線に対応する前枠の第２側枠部側の断面図である。
【図２１】図３のＢ−Ｂ線断面図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤１２を着脱可能に保持する本体枠としての中枠１３が開閉および着脱可能に組み付けられて、該遊技盤１２の裏側に、各種図柄を変動表示可能な図柄表示装置１４が着脱可能に配設されている。また、前記中枠１３の前面側には、前記遊技盤１２を透視保護するガラス板や透明な合成樹脂材により形成された透視保護板１５ｂで前後に開口する窓口１５ａを覆うよう構成された装飾枠としての前枠(機前面側を構成する前面部材)１５が開閉可能に組み付けられる。前枠１５の下部位置には、パチンコ球を貯留する上球受け皿１６および下球受け皿１７が上下に離間して前枠１５と一体的に開閉可能に設けられている。また前枠１５には、下球受け皿１７の側方に、前記中枠１３に配設された打球発射装置１８を作動する操作ハンドル１９が設けられ、該操作ハンドル１９の回動操作によって打球発射装置１８が作動されて、前記上球受け皿１６に貯留されたパチンコ球が前記遊技盤１２に向けて発射されるようになっている。なお、実施例では、前記図柄表示装置１４としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１７】
(外枠１１および中枠１３について)
前記外枠１１は、４つの枠部材を相互に組み付けることで縦長の矩形枠体として構成されるものであって、該外枠１１に対して前記中枠１３は、後述する第１側枠部材２３側が、ヒンジ機構２０を介して開閉および着脱自在に支持され、外枠１１に対して中枠１３を閉成することで、該外枠１１の内側に中枠１３が収容されるよう構成される。図２に示すように、前記中枠１３は、上縁をなす上枠部材２１と、下縁をなし、打球発射装置１８や各種制御装置(図示せず)等を設置する設置部として機能する下枠部材２２と、左縁(一方の側縁)をなす第１側枠部材２３と、右縁(他方の側縁)をなす第２側枠部材２４とから構成されて、これら上下左右の枠部材２１,２２,２３,２４を組み付けた際に、全体が外枠１１の開口領域に整合する大きさに形成される。そして、外枠１１に対して中枠１３は、第１側枠部材２３がヒンジ機構２０を介して回動自在に支持され、外枠１１に対して中枠１３を第１側枠部材２３側を中心として回動して閉成することで、外枠１１の内側に中枠１３が収容されるよう構成される。中枠１３の第２側枠部材２４には施錠装置(図示せず)が設けられ、外枠１１に対して中枠１３を閉成した状態で、該施錠装置により第２側枠部材２４が外枠１１に対して施錠されるようになっている。また、中枠１３には、上下左右の枠部材２１,２２,２３,２４を組み付けることで前後に開口する遊技盤保持部２５が画成され、該遊技盤保持部２５に遊技盤１２が着脱自在にセット保持される。実施例では、上下の枠部材２１,２２が合成樹脂材で成形されると共に、左右の側枠部材２３,２４はアルミ等の金属材により成形されて、中枠１３全体としての剛性を確保しつつ軽量化が図られている。図１,図２において、遊技盤１２の前面に配設されている各種の遊技部品は、後述する案内レール２６を除いて図示省略してある。また、図２においては、前枠１５に配設されている透視保護板１５ｂも図示省略している。
【００１８】
(遊技盤１２について)
前記遊技盤１２は、合板等の木製板部材の表面にセル板を配設したもの、あるいはアクリル板等の透明な合成樹脂材等からなる平板状の板部材で構成される。遊技盤１２の前面には、図４に示す如く、案内レール２６によって遊技領域１２ａが画成され、前記中枠１３に配設された打球発射装置１８から発射されたパチンコ球が遊技領域１２ａ内に打ち出され、該遊技領域１２ａ内をパチンコ球が流下して遊技が行なわれる。また遊技盤１２の前面には、遊技領域１２ａ内に枠状装飾部材２７、パチンコ球が入賞可能な始動入賞装置２８、特別入賞装置２９、普通入賞装置３０等の各種入賞装置および多数本の遊技釘３１や風車３２等の各種遊技部品が配設されている。遊技盤１２の裏側には、図柄表示装置１４、可動演出装置および発光装置等の各種の遊技部品が配設される合成樹脂材で形成された設置部材(図示せず)が配設される。そして、設置部材に形成された前後に開口する開口部および枠状装飾部材２７に形成した開口部２７ａを介して図柄表示装置１４の表示部を前面側から視認し得るよう構成されている。
【００１９】
前記始動入賞装置２８には、遊技領域１２ａを流下するパチンコ球が入賞可能な始動入賞口が設けられ、該始動入賞口へ入賞したパチンコ球が始動入賞センサ(図示せず)で検出されることで、図柄表示装置１４の表示部で図柄変動が開始されると共に、所定数(例えば５個)のパチンコ球が賞球として前記上下の球受け皿１６,１７に払い出される。また、前記特別入賞装置２９は、入賞口が開閉扉で常には閉鎖されており、前記図柄表示装置１４での図柄変動の結果、図柄表示装置１４に所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得る機会が遊技者に与えられるようになっている。
【００２０】
(前枠１５について)
前記前枠１５は、図２,図３,図５または図６に示す如く、全体が合成樹脂により前記中枠１３の外形サイズに成形され、前記遊技盤１２の遊技領域１２ａを前側から視認し得る前記窓口(可視部)１５ａを開設した基枠３３と、該基枠３３の裏側に配設された金属製のベース部材３４とを備え、該ベース部材３４の裏側に保持した透視保護板１５ｂ(図１参照)によって遊技盤１２の遊技領域１２ａを透視可能に保護するよう構成される。基枠３３は、上縁をなす上枠部３５と、下縁をなす下枠部３６と、左縁(一方の側縁)をなす第１側枠部３７と、右縁(他方の側縁)をなす第２側枠部３８が一体的に成形され、下枠部３６の前面に前記上下の球受け皿１６,１７が組み付けられている。そして、中枠１３に対して前枠１５は、第１側枠部３７がヒンジ機構(ヒンジ手段)７４を介して回動自在に支持され、中枠１３に対して前枠１５を第１側枠部３７側を中心として回動して閉成することで、中枠１３の前側が前枠１５で覆われる。また、中枠１３に対して前枠１５を閉成した状態で、前記施錠装置を利用して第２側枠部３８が中枠１３に対して施錠されるようになっている。前記窓口１５ａは、上下および左右の枠部３５,３６,３７,３８の内縁部によって画成されており、図５に示す如く、上枠部３５の内縁部は上側に凸となる略弧状に形成され、第１側枠部３７の内縁部は左側に凸となる略弧状に形成され、第２側枠部３８の内縁部は右側に凸となる略弧状に形成されるのに対し、下枠部３６の内縁部は左右方向に水平に延在する直線部の両端部に第１側枠部３７および第２側枠部３８の内縁部に接続する下側に凸となる弧状部が連設された形状に形成されている。なお、実施例では前枠１５に上下の球受け皿１６,１７を一体的に設けるようにしたが、下球受け皿１７を中枠１３に対して開閉自在に配設する構成を採用し得る。また、球受け皿については、上下２枚の球受け皿１６,１７を備えるものに限らず、１枚の球受け皿のみを設ける構成であってもよい。
【００２１】
前記前枠１５の基枠３３には、第１側枠部(側縁部)３７に第１照明装置４０が配設され、上枠部(上縁部)３５に第２照明装置(上部照明装置)４１が配設され、第２側枠部(側縁部)３８に第３照明装置４２が配設されて、これら３基の照明装置４０,４１,４２によって、窓口１５ａの外周(左右側部および上部)を発光装飾し得るよう構成される。また、第１側枠部３７の前側に第１照明装置４０から光が照射される透光性の第１装飾カバー(装飾カバー)４３が組み付けられ、上枠部３５の前側に第２照明装置４１から光が照射される透光性の第２装飾カバー(上部装飾カバー)４４が組み付けられ、第２側枠部３８の前側に第３照明装置４２からの光が照射される透光性の第３装飾カバー４５が組み付けられている。また、基枠３３の下枠部３６に、第１装飾カバー４３および第３装飾カバー４５を接続する第４装飾カバー６８が上球受け皿１６の上側に配設されている。そして、４つの装飾４３,４４,４５,６８によって、前記窓口１５ａの外周が囲繞されている。
【００２２】
(第１照明装置４０について)
前記第１側枠部３７に配設される第１照明装置４０は、図９または図１０に示す如く、第１側枠部３７の裏側に配設された第１発光基板４０ａと、該第１発光基板４０ａの前面に実装されて前方に向けて光を照射するＬＥＤ等の複数の第１発光体４０ｂとを備えている。第１側枠部３７には、第１発光基板４０ａに実装した各第１発光体４０ｂと対応する位置に、前後方向に開口する第１通孔３７ａが形成され、第１発光体４０ｂから照射された光は、対応する第１通孔３７ａを通って前記第１装飾カバー４３に向けて照射されるよう構成される。なお、第１発光体４０ｂとしては、フルカラーＬＥＤまたは単色発光ＬＥＤを採用し得ると共に、フルカラーＬＥＤからなる第１発光体４０ｂと単色発光ＬＥＤからなる第１発光体４０ｂとを組み合わせることもできる。
【００２３】
(第１装飾カバー４３について)
前記第１装飾カバー４３は、図５〜図１０に示す如く、全体が透明(透光性)で後方に開口する横断面の外形が略台形状に形成された第１基体４６を備え、該第１基体４６は、第１側枠部３７の前側を上下方向の全長に亘って覆うように取り付けられて、該第１基体４６(第１装飾カバー４３)は、前記窓口１５ａにおける第１側枠部３７の内縁部により画成される左側外周において該第１側枠部３７の前面から前方に膨出している(図１参照)。第１基体４６は、図７,図８,図９に示す如く、下部位置に、前面が前後方向への凹凸が略ない平部４６ａが設けられ、該平部４６ａは、第１基体４６(第１装飾カバー４３)を第１側枠部３７に取り付けた際に、第１側枠部３７の前面から前方への突出寸法が最も小さい部分となる。また、第１基体４６には、平部４６ａより上側に、該平部４６ａより前方に突出する下突出部４６ｂと上突出部４６ｃとが上下方向に離間して設けられており、両突出部４６ｂ,４６ｃの間に、前端部が両突出部４６ｂ,４６ｃの前端部より後方に位置する段部４６ｄが設けられている。なお、上下の突出部４６ｂ,４６ｃの前端部や側部には所要の意匠を構成する凹凸が形成されると共に、内面には光拡散処理が施されている。また、上突出部４６ｃの前端部は、下突出部４６ｂの前端部よりも前方に位置するように設定される。
【００２４】
前記第１基体４６の平部４６ａには、前記第１照明装置４０の第１発光体４０ｂから光が照射される裏面に光拡散処理が施された光拡散部４６ｅが複数箇所に設けられている。なお、各光拡散部４６ｅの前面は、平部４６ａの前面から前方に突出している。また、平部４６ａの裏側には、各光拡散部４６ｅに対応する部分に光拡散処理が施された第１光拡散部材４３ａが配設されている(図８参照)。実施例では、光拡散部４６ｅおよび第１光拡散部材４３ａにはダイヤモンドカット等の凹凸による光拡散処理が施されているが、光拡散部４６ｅの凹凸の大きさより第１光拡散部材４３ａの凹凸の大きさが細く設定されている。また、平部４６ａには、光拡散部４６ｅを前側に露出する開口部４７ａが形成された第１被覆部材４７が前側から配設されている。この第１被覆部材４７は、全体にメッキ処理が施された非透明な部材であって、該第１被覆部材４７の開口部４７ａから露出する光拡散部４６ｅを他の部位と区画して、該光拡散部４６ｅが第１発光体４０ｂからの光によって明輝する状態を際だたせ得るよう構成してある。
【００２５】
前記第１基体４６には、図１０に示す如く、前記段部４６ｄに、後方に開口する横断面の外形が略台形状に形成された第２被覆部材４８が配設されて、該段部４６ｄの前側が第２被覆部材４８で覆われており、前記第１発光体４０ｂから段部４６ｄに向けて照射された光は、該段部４６ｄを透過した後に第２被覆部材４８に照射される。この第２被覆部材４８は、略台形状に形成された透明部材の一部に、メッキ処理により半透明となる第１光透過部４８ａを形成したものであって、該第１光透過部４８ａと、メッキ処理されていない第１光透過部４８ａ以外の透明な第２光透過部４８ｂとで、照射された光による明輝度合が異なるよう構成してある。また、第２被覆部材４８の前端位置は、図９に示す如く、下突出部４６ｂの前端部から上突出部４６ｃの前端部に向かうにつれて(下側から上側に向かうにつれて)前方に変位するように構成されている。すなわち、第１基体４６に第１および第２被覆部材４７,４８を取り付けて構成された第１装飾カバー４３は、前記窓口１５ａの左側外周において前方に膨出すると共に、図９に示す如く、前記平部４６ａから上側に向かうにつれて前端部が徐々に前方に変位するように構成されている。なお、第２被覆部材４８には、前記上下の突出部４６ｂ,４６ｃに施された凹凸と同じような凹凸が形成されて、両突出部４６ｂ,４６ｃと第２被覆部材４８とが一連の部材であるかのように認識させ得るようになっている。
【００２６】
(第２照明装置４１について)
前記上枠部３５に配設される第２照明装置４１は、図１３または図１４に示す如く、上枠部３５の裏側に配設された第２発光基板４１ａと、該第２発光基板４１ａの前面に実装されて前方に向けて光を照射するＬＥＤ等の複数の第２発光体(発光体)４１ｂとを備えている。上枠部３５には、第２発光基板４１ａに実装した各第２発光体４１ｂと対応する位置に、前後方向に開口する第２通孔３５ａが形成され、第２発光体４１ｂから照射された光は、対応する第２通孔３５ａを通って前記第２装飾カバー４４に向けて照射されるよう構成される。なお、第２発光体４１ｂとしては、フルカラーＬＥＤまたは単色発光ＬＥＤを採用し得ると共に、フルカラーＬＥＤからなる第２発光体４１ｂと単色発光ＬＥＤからなる第２発光体４１ｂとを組み合わせることもできる。
【００２７】
(第２装飾カバー４４について)
前記第２装飾カバー４４は、図１２に示す如く、全体が透明で後方に開口する箱状の第２基体４９を備え、該第２基体４９が上枠部３５の前側を左右方向の全長に亘って覆うように取り付けられて、該第２基体４９(第２装飾カバー４４)は、前記窓口１５ａの上枠部３５の内縁部により画成される上外周において該上枠部３５の前面から前方に膨出している(図１参照)。図１１,図１２に示す如く、第２基体４９の左右両端部に、スピーカ取付部４９ａが夫々設けられ、各スピーカ取付部４９ａに、スピーカユニット５０を装着したスピーカ用装飾部材５１,５２が前側から着脱自在に取り付けられるよう構成される。また第２装飾カバー４４は、上枠部３５の前側に取り付けた状態で、左前側に取り付けられた第１スピーカ用装飾部材５１が、前記第１装飾カバー４３の上端部に接続されて(図９参照)、第１装飾カバー４３と第２装飾カバー４４とが一連の装飾カバーを構成する形態に見えるようになっている。
【００２８】
前記第２基体４９における左右のスピーカ取付部４９ａ,４９ａの間に位置する連設部５３は、両スピーカ取付部４９ａ,４９ａにスピーカ用装飾部材５１,５２を取り付けた状態で、両スピーカ用装飾部材５１,５２の前端部より後方に該連設部５３の前端部が位置するよう設定される。この連設部５３は、図１４に示す如く、縦断面において後方に開口する略コ字状に形成されており、該連設部５３の上側を構成する上壁５３ａが略水平となる平坦に形成されるのに対し、下側を構成する下壁５３ｂにおける前部は後側から前側に向かうにつれて上方傾斜するよう形成されている。そして、前記第２照明装置４１の第２発光体４１ｂからの光は、下壁５３ｂにおける傾斜部分に向けて照射されるようになっている。また、下壁５３ｂは、左右方向においては上側に凸となる弧状に形成されると共に、該下壁５３ｂの内面に、前後方向に延在すると共に内側に凸となるレンズ状の上光拡散部５３ｃが左右方向に並列に形成されており、該上光拡散部５３ｃに向けて照射された光を広範囲に拡散し得るよう構成される。
【００２９】
前記第２基体４９には、後方に開口する略Ｕ字状に形成された被覆部５４ａを備える第３被覆部材５４が、該被覆部５４ａで前記連設部５３の前側を覆うように前側から取り付けられている。この第３被覆部材５４は、全体が透明に形成されて、連設部５３に向けて照射された第２発光体４１ｂの光が前方へ透過可能に構成される。第３被覆部材５４の被覆部５４ａには、所要の意匠をなす凹凸が形成されると共に、該被覆部５４ａから右方に延出する装着部５４ｂに、右側のスピーカ取付部４９ａに取り付けられた第２スピーカ用装飾部材５２を被覆するスピーカ用被覆部材５５が取り付けられている。なお、スピーカ用被覆部材５５は、全体がメッキ処理された非透光性の部材である。また、前記連設部５３の下側後端縁部には、略全長に亘って非透光性の縁部用装飾部品５６が配設されており(図１４参照)、前記第２発光体４１ｂの光が前記窓口１５ａに臨む透視保護板１５ｂに写り込んで遊技盤１２や図柄表示装置１４の表示部が前側から視認し難くなるのを防止するようになっている。前記第３被覆部材５４には、メッキ処理または不透明な樹脂材から形成された複数の装飾部品５７が配設されており、該第３被覆部材５４において光が透過しない部位を設けることで、明輝する部分と明輝しない部分とによってメリハリを付け得るようになっている。
【００３０】
ここで、前記各スピーカユニット５０は発光装置(図示せず)を備えており、該発光装置を発光することでスピーカユニット５０の周囲(スピーカ用装飾部材５１,５２)を発光により装飾し得るよう構成されている。すなわち、前記上枠部３５に第２装飾カバー４４を取り付けた状態で、前記窓口１５ａの上側外周を左右方向の全長に亘って発光により装飾し得るようになっている。
【００３１】
前記第３被覆部材５４は、被覆部５４ａの前端位置が、左側のスピーカ取付部４９ａに取り付けられた第１スピーカ用装飾部材５１の前端部から右側のスピーカ取付部４９ａに取り付けらた第２スピーカ用装飾部材５２の前端部に向かうにつれて(左側から右側に向かうにつれて)概ね前方に変位するように構成されている(図１３参照)。また、第３被覆部材５４の装着部５４ｂに取り付けられたスピーカ用被覆部材５５の前端部は、左側から右側に向かうにつれて概ね前方に変位するように構成されると共に、該スピーカ用被覆部材５５における左端部は、第３被覆部材５４における被覆部５４ａの右端部の前端位置よりも前方に位置するようになっている。すなわち、第２基体４９にスピーカ用装飾部材５１,５２、第３被覆部材５４およびスピーカ用被覆部材５５を取り付けて構成された第２装飾カバー４４は、前記窓口１５ａの上側外周において前方に膨出すると共に、図１３に示す如く、全体として左側から右側に向かうにつれて前端部が徐々に前方に変位するように構成される。なお、左側の第１スピーカ用装飾部材５１における前記第１装飾カバー４３の上端部との接続部における前端部の位置は、図９に示す如く、該第１装飾カバー４３の上端部における前端部の位置と略同じレベルに位置しており、パチンコ機１０における前記窓口１５ａの外周前側において、左側下部から左上隅部、該左上隅部から右上隅部に向かうにつれて装飾カバー４３,４４の前端部が徐々に前方に変位するよう構成される(図１参照)。
【００３２】
(第３照明装置４２について)
前記第２側枠部３８に配設される第３照明装置４２は、図１７,図１８,図２０に示す如く、第２側枠部３８の裏側に配設された第３発光基板(発光基板)４２ａと、該第３発光基板４２ａの前面に実装されて前方に向けて光を照射するＬＥＤ等の複数の第３発光体(発光体)４２ｂとを備えている。第２側枠部３８には、第３発光基板４２ａに実装した各第３発光体４２ｂと対応する位置に、前後方向に開口する第３通孔３８ａが形成され、第３発光体４２ｂから照射された光は、対応する第３通孔３８ａを通って前記第３装飾カバー４５に向けて照射されるよう構成される。なお、第３発光体４２ｂとしては、フルカラーＬＥＤまたは単色発光ＬＥＤを採用し得ると共に、フルカラーＬＥＤからなる第３発光体４２ｂと単色発光ＬＥＤからなる第３発光体４２ｂとを組み合わせることもできる。
【００３３】
(第３装飾カバー４５について)
前記第３装飾カバー(装飾カバー)４５は、図１７,図１８,図２０に示す如く、後方に開口する横断面の外形が略台形状に形成され、該第３装飾カバー４５が第２側枠部３８の前側を上下方向の全長に亘って覆うように取り付けられて、該第３装飾カバー４５は、前記窓口１５ａにおける第２側枠部３８の内縁部により画成される右側外周において該第２側枠部３８の前面から前方に膨出している(図１参照)。第３装飾カバー４５は、全体が透明で前記窓口１５ａに近接する側の壁部を構成する内壁部材５９と、該内壁部材５９に配設されて第３装飾カバー４５の前側の壁部を構成する前壁部材６０と、内壁部材５９から右方に離間して位置して窓口１５ａから離間する側の壁部を構成する外壁部材(外側壁部)６１とを備え、外壁部材６１の前端部は前壁部材６０で覆われるようになっている(図２０参照)。そして、第２側枠部３８の前側に第３装飾カバー４５を取り付けた状態で、該第３装飾カバー４５と第２側枠部３８との間に収容空間Ｓが画成される。なお、第３装飾カバー４５は、第２側枠部３８の前側に取り付けた状態で、上端部が前記第２装飾カバー４４の右端部に接続されて、第２装飾カバー４４と第３装飾カバー４５とが一連の装飾カバーを構成する形態に見えるようになっている(図３参照)。
【００３４】
前記第３装飾カバー４５の前端部は、上側から下側に向かうにつれて後方に変位するよう構成されている。また、第３装飾カバー４５における前壁部材６０の上端における前端部は、前記第２基体４９に取り付けたスピーカ用被覆部材５５における前端部の位置と略同じレベルに位置しており(図１７,図１８参照)、パチンコ機１０における前記窓口１５ａの外周前側において、右上隅部から右下部に向かうにつれて装飾カバー４４,４５の前端部が徐々に後方に変位するよう構成される。すなわち、前枠１５における基枠３３の前側に、第１〜第３装飾カバー４３,４４,４５を取り付けた状態で、３つの装飾カバー４３,４４,４５の前端部は、前記窓口１５ａの左下部側から左上隅部を経て右上隅部に向かうにつれて徐々に前方へ変位すると共に、該右上隅部から右下部に向かうにつれて徐々に後方へ変位するようになっている。つまり、基枠３３に装飾カバー４３,４４,４５を取り付けた状態の前枠１５において、右上隅部が最も前方に膨出している。また、第１側枠部３７に取り付けた第１装飾カバー４３と第２側枠部３８に取り付けた第３装飾カバー４５とでは、図２１に示す如く、対応する側枠部３７,３８から前方への突出寸法は、前記ヒンジ機構３９が配設される第１側枠部３７とは反対側の第２側枠部３８に取り付けられる第３装飾カバー４５の方が大きく設定されており、前枠１５において装飾カバー４３,４４,４５で構成される前側の形態は左右非対称となっている。
【００３５】
(内壁部材５９について)
前記内壁部材５９は、図２０に示す如く、第２側枠部３８から前方に向かうにつれて右側(外壁部材６１側)へ傾斜すると共に、その前端部は、上側から下側に向かうにつれて後方に変位するよう構成されている。また内壁部材５９には、前後方向に延在する凸部が上下方向に略並んで形成されて全体が凹凸形状に形成されている。なお、内壁部材５９の後端縁部には、略全長に亘って非透光性の縁部用装飾部品６２が配設されており(図２０参照)、前記第３発光体４２ｂの光が窓口１５ａに臨む透視保護板１５ｂに写り込んで遊技盤１２や図柄表示装置１４の表示部が前側から視認し難くなるのを防止するようになっている。また、図１５,図１６において符号６３は、内壁部材５９に配設される非透光性の小型の装飾部品を示す。
【００３６】
(外壁部材６１について)
前記外壁部材６１は、図２０に示す如く、前記第２側枠部３８から前方に略垂直に延出して、外側面(右側の側面)が左右方向に略凹凸のない平坦に形成されている。また外壁部材６１は、図１５に示す如く、透明な部材にメッキ処理等の非透光性処理が施された非透光性部６１ａを設けることで、該非透光性部６１ａ以外の部分に、所要の意匠を構成する透光性部６１ｂを形成したものであって、透光性部６１ｂを取り囲むように存在する非透光性部６１ａによって、該透光性部６１ｂが明輝した際の注目度を高めることができるようになっている。なお、前記第３装飾カバー４５は、図６に示す如く、前記内壁部材５９の上端から外壁部材６１が所定長さだけ上方に突出して、該外壁部材６１の突出部分が前記第２装飾カバー４４の右側面に重なるように接続されている。すなわち、パチンコ機１０の右側面において、図１,図２０に示す如く、前記基枠３３の上端部から下側へ所定長さの領域に亘って、基枠３３から前方に突出する平坦な外壁部材６１が視認可能に露出するよう構成される。外壁部材６１の前記透光性部６１ｂで表わす意匠としては、例えば社名や機種名、その他キャッチフレーズ等の文字、あるいはパチンコ機１０のモチーフとなるキャラクタ等の図柄等、各種のものを採用可能である。
【００３７】
なお、前記外壁部材６１における透光性部６１ｂに対応する表面に、凹凸による光拡散処理が施されて、該透光性部６１ｂの全体が均一に明輝し得るようになっている。実施例では、透光性部６１ｂの表面に、上下方向に延在する突条を前後方向に並列に設け、これらの突条によって光を拡散し得るよう構成してある。
【００３８】
(前壁部材６０について)
前記前壁部材６０は、表面の全体がメッキ処理された非光透過性の部材であって、第３装飾カバー４５の前端部は前記第３発光体４２ｂからの光によって明輝しないよう構成される。なお、実施例では、内壁部材５９の前端部に２つの前壁部材６０,６０を上下に並ベて取り付けているが(図１５,図１６参照)、前壁部材６０は内壁部材５９の全長に亘る長さの１つの部品であってもよい。
【００３９】
(第２光拡散部材６４について)
前記第３装飾カバー４５に内部画成された前記収容空間Ｓに、前記第３発光体４２ｂから前方に向けて照射された光を拡散する第２光拡散部材(光拡散部材)６４が収容されている。この第２光拡散部材６４は、図２０に示す如く、後方に開口する横断面の外形が略台形状に形成された透明部材であって、該第２光拡散部材６４を収容空間Ｓに収容した状態で、前記第２側枠部３８に配設された第３発光体４２ｂの前側に該第２光拡散部材６４の後部開口が臨み、該第３発光体４２ｂからの光は第２光拡散部材６４の内部に向けて照射されるようになっている。また第２光拡散部材６４は、図１９または図２０に示す如く、前記窓口１５ａ側に位置する光拡散内壁部(壁部)６５が、第３装飾カバー４５における内壁部材５９に対応して内側に離間して延在するように位置すると共に、窓口１５ａから離間する側に位置する光拡散外壁部(壁部)６６が、第３装飾カバー４５における外壁部材６１に対応して内側に離間して延在するように位置している。
【００４０】
前記光拡散内壁部６５は、図２０に示す如く、前記第２側枠部３８から前方に略垂直に延出する基部６５ａと、該基部６５ａの前端に連設されて後側から前側に向かうにつれて窓口１５ａから離間(光拡散外壁部６６に近接)するように傾斜する傾斜部６５ｂとを備え、該傾斜部６５ｂの内面は、前記第３発光体４２ｂの光軸に対して傾斜するよう構成される。また、光拡散内壁部６５の内面(基部６５ａおよび傾斜部６５ｂの内面)には、図１７および図１９に示す如く、前後方向に延在すると共に内側に凸となるレンズ状の第１光拡散部(拡散部)６５ｃが上下方向に並列に設けられている。そして、第３発光体４２ｂから光拡散内壁部６５に向けて照射された光は、一部が第１光拡散部６５ｃ内に導入されて内部で多重反射することで前端部側まで導かれると共に、一部が前記光拡散外壁部６６に向けて反射することで、広範囲に亘って光を拡散し得るようになっている。なお、前記第３照明装置４２を構成する複数の第３発光体４２ｂは、上下方向および左右方向に離間して配置されており、左側に偏って位置する第３発光体４２ｂからの光が、前記傾斜部６５ｂにおける後部側の領域に照射されると共に、右側に偏って位置する第３発光体４２ｂからの光が、傾斜部６５ｂの前部側の領域に照射されるよう構成してある(図２０参照)。また、右側に偏って位置する第３発光体４２ｂからの光は、前記光拡散外壁部６６の内側に近接する位置を前方に向かって照射されるようになっている。
【００４１】
前記光拡散外壁部６６は、図２０に示す如く、第３装飾カバー４５の外壁部材６１と略平に延在するよう位置決めされており、該光拡散外壁部６６の内面(光拡散内壁部６５と向き合う面)は、前記第３発光体４２ｂの光軸に沿って延在するよう構成される。また光拡散外壁部６６の内面には、上下方向に延在すると共に外側(外壁部材６１側)に凸となる第２光拡散部(拡散部)６６ａが前後方向に並列に設けられている。そして、第３発光体４２ｂから照射された光や前記光拡散内壁部６５で反射された光が、該光拡散外壁部６６内に導入されて各第２光拡散部６６ａで多重反射することで広範囲に亘って光を拡散し得るようになっている。なお、第３発光体４２ｂから照射された光や光拡散内壁部６５で反射された光は、全てが第２光拡散部６６ａ内に導入されるものでなく、一部は光拡散内壁部６５に向けて反射される。また、第１光拡散部６５ｃと第２光拡散部６６ａとは交差する方向に延在するよう形成されており、両光拡散部６５ｃ,６６ａの拡散効果によって、光拡散内壁部６５および光拡散外壁部６６において全面に亘って略均等に明輝するよう構成される。
【００４２】
(光拡散シート６７について)
前記第２光拡散部材６４の光拡散外壁部６６と前記第３装飾カバー４５の外壁部材６１との間に、表面に微小な凹凸を形成した光拡散シート６７が配設されている。この光拡散シート６７は、外壁部材６１に形成した前記透光性部６１ｂを覆うように位置決めされており、光拡散外壁部６６を透過した光を更に拡散して透光性部６１ｂを均等に明輝するよう構成される。すなわち、光拡散シート６７に光が照射されることで当該光拡散シート６７自体で全体的に明輝することで、透光性部６１ｂを均等に明輝させ得ると共に、前記光拡散内壁部６５の全体を明輝させ得るようになっている。なお、実施例では外壁部材６１に形成した複数の透光性部６１ｂの全てを覆う１枚の光拡散シート６７を用いたが、各透光性部６１ｂ毎に対応する光拡散シート６７で覆う構成を採用し得る。
【００４３】
〔実施例の作用〕
次に、前述のように構成された実施例に係るパチンコ機１０の作用につき説明する。
【００４４】
前記遊技領域１２ａに打ち出されたパチンコ球が始動入賞装置２８に入賞すると、前記図柄表示装置１４で図柄が変動開始され、所要の図柄変動演出が行なわれる。前記図柄表示装置１４で行なわれる図柄変動演出の結果、図柄表示装置１４の表示部に所定の図柄組合わせで図柄が停止表示されたときに大当りが発生する。そして、大当りが発生すると、図柄表示装置１４の表示部に表示された図柄組み合わせに応じて、前記特別入賞装置２９の入賞口が開放され、遊技者は多くの賞球が獲得可能となる。
【００４５】
前記パチンコ機１０では、前記図柄表示装置１４で行なわれる図柄変動演出に応じて、前記各照明装置４０,４１,４２が発光されたり点滅され、前記窓口１５ａの外周において行なわれる発光による演出により遊技の興趣が向上される。またパチンコ機１０では、遊技者が遊技を行なっていない客待ち状態においても、前記各照明装置４０,４１,４２を発光したり点滅することで、遊技店内の客の注意を惹いて当該パチンコ機１０で遊技を行なうことを促している。
【００４６】
実施例のパチンコ機１０は、図１に示す如く、前記前枠１５の窓口１５ａを囲う左右両側および上側に取り付けられた３つの装飾カバー４３,４４,４５が、何れも前方へ膨出する立体的な形状に形成されている。また、第１〜第３装飾カバー４３,４４,４５の前端部は、窓口１５ａの左下部側から左上隅部を経て右上隅部に向かうにつれて徐々に前方へ変位すると共に、該右上隅部から右下部に向かうにつれて徐々に後方へ変位している。すなわち、前枠１５の前側の形態が立体的でかつ左右非対称で遊技者の注意を惹くことができるデザインとなっているので、他機種との差別化を図ることができる。
【００４７】
また、図２１に示す如く、前記前枠１５の左側に位置する第１装飾カバー４３に対して右側に位置する第３装飾カバー４５の前方への突出寸法を大きくし、かつ該第３装飾カバー４５の外側面に、図１に示すように透光性部６１ｂが形成されて、前記第３照明装置４２の発光により透光性部６１ｂが明輝するようになっている。従って、遊技を行なう遊技機を探している客の注意を惹いて集客力を向上し得る。また、第３装飾カバー４５における透光性部６１ｂが形成される面は平坦であるので見易く、かつ該透光性部６１ｂは非透光性部６１ａで囲われているので明輝した場合には目立ち、注目度を高めることができる。
【００４８】
また、実施例のパチンコ機１０では、前記中枠１３に対して前枠１５を開閉するためのヒンジ機構３９が配設される第１側枠部３７に取り付けられる第１装飾カバー４３の前方への突出寸法を低く抑えているのに対し、反対側の第２側枠部３８に取り付けられる第３装飾カバー４５の前方への突出寸法を大きくしている。これにより、インパクトのあるデザインを採用しつつ前枠１５を開放する際に装飾カバーが邪魔となることなく該前枠１５を大きく開放することができ、良好なメンテナンス性を維持し得る。
【００４９】
(第１装飾カバー４３での明輝態様)
前記第１照明装置４０の第１発光体４０ｂを発光すると、該第１発光体４０ｂの光は、前記第１装飾カバー４３を構成する第１基体４６に向けて照射される。第１基体４６において、下部に位置する平部４６ａは、図５,図９に示す如く、光拡散部４６ｅを除く部位が非透光性の第１被覆部材４７で覆われているので、該第１被覆部材４７の開口部４７ａから露出する光拡散部４６ｅ,４６ｅが明輝することで興趣のある演出が期待できる。しかも、光拡散部４６ｅの裏側には第１光拡散部材４３ａが配設されると共に、光拡散部４６ｅおよび第１光拡散部材４３ａによる明輝度合が異なる光拡散処理を施してあるので、興趣の高い発光演出を行ない得る。
【００５０】
また、前記第１装飾カバー４３では、前記下突出部４６ｂと上突出部４６ｃとの間に、第２被覆部材４８を配設しているので、前記第１発光体４０ｂからの光が直接照射される両突出部４６ｂ,４６ｃでの明輝態様と、前記段部４６ｄを透過した後に第２被覆部材４８に照射される光での明輝態様とが異なる。すなわち、第１装飾カバー４３において、明輝態様が異なる複数の領域を設けてあるので、全体が同じ形態で明輝する場合に比べて演出効果を向上することができる。
【００５１】
(第２装飾カバー４４での明輝態様)
前記第２照明装置４１の第２発光体４１ｂを発光すると、該第２発光体４１ｂの光は、前記第２装飾カバー４４を構成する第２基体４９に向けて照射される。前記第２発光体４１ｂの前側には、図１４に示す如く、上光拡散部５３ｃが位置しているので、該上光拡散部５３ｃに向けて照射された光は、広範囲に亘って拡散し、前記窓口１５ａの上部側を左右方向に亘って好適に発光装飾することができる。また、上光拡散部５３ｃのレンズ作用によって後側から照射される第２発光体４１ｂからの光を収束させることで、各上光拡散部５３ｃにおいて強い光を前部に導びいて前端部側を強く明輝させ得る。更に、第２基体４９の前側には、透明な第３被覆部材５４が位置しているので、該第３被覆部材５４を透かして奥側で第２基体４９が明輝することで、奥行きのある発光演出ができ、興趣を向上し得る。なお、第２基体４９の下部後端縁、すなわち前記透視保護板１５ｂに近接する縁部に非透光性の縁部用装飾部品５６を配設してあるので、第２発光体４１ｂの光が透視保護板１５ｂに写り込むのを防ぐことができ、遊技盤１２や図柄表示装置１４の表示部が前側から視認し難くなるのを防止し得る。
【００５２】
(第３装飾カバー４５での明輝態様)
前記第３照明装置４２の第３発光体４２ｂを発光すると、該第３発光体４２ｂの光は、前記第３装飾カバー４５に内部画成された収容空間Ｓに収容されている第２光拡散部材６４の内部に向けて照射される。第２光拡散部材６４の前記光拡散内壁部６５に向けて照射された光は、該光拡散内壁部６５に対して斜めに当ることで、一部が反射すると共に一部が壁部内に入射する。この光拡散内壁部６５の内面には、図１７および図１９に示す如く、第１光拡散部６５ｃが前後方向に延在しているから、壁部内に入射した光は内部で多重反射することで前端部側まで導かれる。そして、光を前端部側まで導くことができる第１光拡散部６５ｃが上下方向に並列に設けられているので、前記第３発光体４２ｂが発光した際には、光拡散内壁部６５の全体を略均等に明輝することができる。従って、光拡散内壁部６５の外側に位置する第３装飾カバー４５の内壁部材５９の全体を略均等に明輝することができる。すなわち、第３装飾カバー４５を立体的に形成して後端部側に第３発光体４２ｂを配置した構成であっても、第３装飾カバー４５の内壁部材５９の全体を均一に明輝させることができる。従って、発光体の光が点光となることもなく、良好な見栄えを維持しつつインパクトのあるデザインにより注目を惹ことができる。
【００５３】
前記第２光拡散部材６４の光拡散外壁部６６には、前記第１光拡散部６５ｃとは延在方向が交差する上下方向に延在する第２光拡散部６６ａを前後方向に並列に設けているので、第３発光体４２ｂから照射された光や前記光拡散内壁部６５で反射された光が、該光拡散外壁部６６内に導入されて各第２光拡散部６６ａで多重反射することで広範囲に亘って拡散する。すなわち、実施例では、第３発光体４２ｂから光が照射される第２光拡散部材６４における向い合う光拡散内壁部６５と光拡散外壁部６６とに、延在方向が交差(直交)する光拡散部６５ｃ,６６ａを並列に設けたので、第３発光体４２ｂからの光を前後方向および上下方向に拡散することができ、光拡散内壁部６５および光拡散外壁部６６をムラなく均一に明輝することができる。言い替えれば、第２光拡散部材６４を収容した第３装飾カバー４５の内壁部材５９および外壁部材６１に、前記第３発光体４２ｂからの離間距離が異なる領域があっても、該第３発光体４２ｂの光によって内壁部材５９および外壁部材６１を均一に明輝することができる。更に、光拡散内壁部６５に設けた第１光拡散部６５ｃのレンズ効果によって光拡散外壁部６６で反射した光を収束させて強く明輝させることができ、第３発光体４２ｂから離間した前端部側においても内壁部材５９をムラなく明輝することができる。
【００５４】
従って、前記光拡散外壁部６６の外側に位置する前記外壁部材６１に形成された透光性部６１ｂは、全体が均一に明輝し、該透光性部６１ｂの見栄えを良好にし得る。また、光拡散外壁部６６と外壁部材６１との間に光拡散シート６７が位置しているので、該光拡散シート６７によって前記透光性部６１ｂはより均一に明輝する。すなわち、光拡散シート６７に当った光は広範囲に広がって該光拡散シート６７自体の全体が明輝することで、透光性部６１ｂも均一に明輝する。すなわち、パチンコ機１０において前方への突出寸法を大きくして注目を惹ことができる第３装飾カバー４５において、遊技を行なうパチンコ機１０を探している客の注目を透光性部６１ｂが均等に明輝することでより惹くことができる。また、第３装飾カバー４５における前記窓口１５ａ側に位置する内壁部材５９は透明であるので、該内壁部材５９を透かして奥側に見える光拡散内壁部６５の明輝態様により奥行きのある発光演出ができ、興趣を向上し得る。なお、内壁部材５９の後端縁、すなわち前記透視保護板１５ｂに近接する縁部に非透光性の縁部用装飾部品６２を配設してあるので、第３発光体４２ｂの光が透視保護板１５ｂに写り込むのを防ぐことができ、遊技盤１２や図柄表示装置１４の表示部が前側から視認し難くなるのを防止し得る。なお、光拡散シート６７の全体が明輝することで、前記光拡散内壁部６５も全体が明輝する効果を奏する。
【００５５】
(変更例)
本願は前述した実施例の構成に限定されるものではなく、その他の構成を適宜に採用することができる。
(1) 実施例では、窓口の右側に前方への突出寸法の大きな装飾カバーを配設したが、実施とは左右逆で窓口の左側に前方への突出寸法の大きな装飾カバーを配設する構成を採用し得る。
(2) 実施例では、窓口の上側に、左右の装飾カバーに接続する第２装飾カバー(上部装飾カバー)を配設するよう構成したが、第２装飾カバーを省略することもできる。また、第１装飾カバーを省略することもできる。
(3) 実施例では、第３装飾カバーについて、上端から下端に向かうにつれて前端部が徐々に後方に変位するよう構成したが、前方への変位と後方への変位が反復する形状であってもよい。また、第３装飾カバーの断面形状についても、台形状に限らず矩形状や三角形状等、各種の形状を採用可能である。
(4) 実施例では、第３装飾カバーを複数の部材から構成した場合で説明したが、単一の部材で構成したものであってもよい。
(5) 実施例では、第３装飾カバーにおける窓口から離間する外側に、所要の意匠を表わす透光性部を形成したが、窓口側(遊技者から見える側)である内側に透光性部を形成する構成を採用できる。
(6) 実施例では、第２光拡散部材における窓口に近接する側の光拡散内壁部に、前後方向に延在する光拡散部を上下方向に並列に設けると共に、窓口から離間する側の光拡散外壁部に、上下方向に延在する光拡散部を前後方向に並列に設けるようにしたが、各壁部に設ける光拡散部の方向は逆であってもよい。また、向き合う壁部に設けられる光拡散部の延在方向は、交差していれば直交するものでなくてもよい。
(7) 実施例では、第３装飾カバーの内部に、該第３装飾カバーを構成する壁部に対応する壁部を備えた光拡散部材を収容した構成とし、第１装飾カバーの内部には壁部を備えた光拡散部材を配設しない構成としたが、第１装飾カバーの内部にも、該第１装飾カバーを構成する壁部に対応する壁部を備えた光拡散部材を収容した構成を採用し得る。すなわち、窓口の左側と右側とで、光拡散部材を収容した前方への突出寸法が異なる装飾カバーを取り付ける構成を採用することができる。
(8) 実施例では、各装飾カバーを透明とした場合で説明したが、透明に限らず透光性であればよい。
(9) 遊技機としては、パチンコ機に限られるものではなく、アレンジボール機やパチンコ球を用いたスロットマシン等、その他各種の遊技機であってもよい。
【符号の説明】
【００５６】
１２ 遊技盤，１３ 中枠(本体枠)，１５ 前枠(装飾枠)，１５ａ 窓口
３３ 基枠，３５ 上枠部(上縁部)，３７ 第１側枠部(側縁部)
３８ 第２側枠部(側縁部)，３９ ヒンジ機構(ヒンジ手段)
４１ 第２照明装置(上部照明装置)，４１ｂ 第２発光体(発光体)
４２ａ 第３発光基板(発光基板)，４２ｂ 第３発光体(発光体)
４３ 第１装飾カバー(装飾カバー)，４４ 第２装飾カバー(上部装飾カバー)
４５ 第３装飾カバー(装飾カバー)，５９ 内壁部材(壁部)
６１ 外壁部材(壁部,外側壁部)，６１ａ 非透光性部，６１ｂ 透光性部
６４ 第２光拡散部材(光拡散部材)，６５ 光拡散内壁部(壁部)
６５ｃ 第１光拡散部(拡散部)，６６ 光拡散外壁部(壁部)
６６ａ 第２光拡散部(拡散部)，６７ 光拡散シート，Ｓ 収容空間
【図１】
2014061026.tif 000003
【図２】
2014061026.tif 000004
【図３】
2014061026.tif 000005
【図４】
2014061026.tif 000006
【図５】
2014061026.tif 000007
【図６】
2014061026.tif 000008
【図７】
2014061026.tif 000009
【図８】
2014061026.tif 000010
【図９】
2014061026.tif 000011
【図１０】
2014061026.tif 000012
【図１１】
2014061026.tif 000013
【図１２】
2014061026.tif 000014
【図１３】
2014061026.tif 000015
【図１４】
2014061026.tif 000016
【図１５】
2014061026.tif 000017
【図１６】
2014061026.tif 000018
【図１７】
2014061026.tif 000019
【図１８】
2014061026.tif 000020
【図１９】
2014061026.tif 000021
【図２０】
2014061026.tif 000022
【図２１】
2014061026.tif 000023